(57)【要約】【課題】  レセプタクルコネクタとの嵌合状態で、過大な負荷が作用された場合にレセプタクルコネクタ側での破損等の発生を防止する。【解決手段】  シールドケース１３の樹脂カバー２１の先端部位により被覆される部位に位置して、レセプタクルコネクタ２に嵌合された状態での過大負荷に対してシールドケース１３を変形させる緩衝部１９、２０を形成する。さらに、万一の場合でもレセプタクルコネクタ２を設けた主装置側における不都合の発生を低減してシステム全体に影響を及ぼすような大きな損害の発生を防止することを可能とする。【選択図】  図３
2007227272.tif 000002
【特許請求の範囲】
【請求項１】
シールドケース内にコンタクトを収納するとともに、前記シールドケースをレセプタクルコネクタとの嵌合部位を露出させて樹脂カバーにより被覆したシールド型プラグコネクタにおいて、
前記シールドケースの前記樹脂カバーの先端部位により被覆される部位に位置して、前記レセプタクルコネクタに嵌合された状態での過大負荷に対して前記シールドケースを変形させる緩衝部を形成したことを特徴とするシールド型プラグコネクタ。
【請求項２】
前記緩衝部が、前記シールドケースに幅方向の両側部から互いに対向して切り込み形成された一対の緩衝スリットによって構成されることを特徴とする請求項１に記載のシールド型プラグコネクタ。
【請求項３】
前記緩衝部が、前記シールドケースの主面に、内方へと折曲されて前記シールドケースに対して前記コンタクトを抜け止めする互いに向き合う幅方向の一対のかしめ舌片を構成する横向き略Ｈ字状のスリットによって構成されることを特徴とする請求項１に記載のシールド型プラグコネクタ。
【請求項４】
前記緩衝部が、前記シールドケースに幅方向の両側部から互いに対向して切り込み形成された一対の緩衝スリットと、前記シールドケースの主面に前記緩衝スリットの延長線上に位置して形成され内方へと折曲されることにより前記シールドケースに対して前記コンタクトを抜け止めする互いに向き合う幅方向の一対のかしめ舌片を構成する横向き略Ｈ字状のスリットとによって構成されることを特徴とする請求項１に記載のシールド型プラグコネクタ。
【請求項５】
前記緩衝部が、前記シールドケースの主面に相対する両側部に回り込んで形成された幅方向の凹溝によって構成されることを特徴とする請求項１に記載のシールド型プラグコネクタ。
【請求項６】
前記樹脂カバーが、一体成形により前記シールドケースと一体化されることを特徴とする請求項１乃至請求項５に記載のシールド型プラグコネクタ。
【発明の詳細な説明】
【技術分野】
【０００１】
本発明は、配線基板等に搭載されたレセプタクルコネクタに嵌合して各種信号等の授受を行うシールド型プラグコネクタに関する。
【背景技術】
【０００２】
パーソナルコンピュータは、ディスプレィやキーボード或いはマウス等の周辺装置を、制御信号やデータ等の授受とともに電源の供給も可能なコネクタ装置により接続してシステムを構成する。コネクタ装置も、基本的な構成を一般的なコネクタ装置と同様とし、例えばパーソナルコンピュータ側の配線基板に搭載されたレセプタクルコネクタと、周辺装置に接続されたプラグコネクタとから構成される。コネクタ装置は、レセプタクルコネクタに対してプラグコネクタを嵌合することによりパーソナルコンピュータと周辺装置間を接続して制御信号やデータ等の授受或いは電源の供給等が行われるようにする。
【０００３】
一般的なコネクタ装置としては、例えば特許文献１乃至特許文献４等に開示されているが、レセプタクルコネクタ及びプラグコネクタがそれぞれのコンタクトブロックを矩形筒状のシールドケース内に収納し、レセプタクルコネクタ側の受けシールドケース内にプラグコネクタ側のシールドケースを嵌合する。コネクタ装置は、かかる嵌合構造により、レセプタクルコネクタとプラグコネクタとが嵌合部において機械的保護や電磁的ノイズの混入防止が図られるとともに確実かつ簡易な嵌合操作が行われるように構成される。
【０００４】
従来のコネクタ装置１００は、図７に示すようにレセプタクルコネクタ１０１が、例えば合成樹脂材によって成形されたコンタクト保持体とこのコンタクト保持体に複数個のコンタクトによりコンタクトブロックを構成し、このコンタクトブロックをコンタクト保持体に組み付けた金属薄板製のシールドケースによって被覆する。コネクタ装置１００においては、レセプタクルコネクタ１０１が、コンタクト保持体に形成した位置決め凸部を位置決め孔に係合することにより配線基板１０２上に位置決めし、各コンタクトを配線基板１０２に設けた端子部に半田付けすることにより実装される。コネクタ装置１００は、レセプタクルコネクタ１０１が、例えばパーソナルコンピュータ側に設けられ、その筐体に設けたスロットにプラグコネクタ嵌合部を臨ませて配線基板１０２の端部に位置して半田付けされて搭載される。
【０００５】
コネクタ装置１００は、プラグコネクタ１０３が、一端側を下位側となる周辺装置に接続されたケーブル１０４の他端側に設けられる。プラグコネクタ１０３も、合成樹脂材によって成形されたコンタクト保持体とこのコンタクト保持体に複数個のコンタクトによりコンタクトブロックを構成し、このコンタクトブロックをコンタクト保持体に組み付けた金属薄板により矩形筒状に形成したシールドケース１０５によって被覆する。プラグコネクタ１０３は、シールドケース１０５がレセプタクルコネクタ１０１側のシールドケースよりもやや小さな断面形状とされ、その内部に嵌合することによりレセプタクルコネクタ１０１と結合される。
【０００６】
プラグコネクタ１０３は、コンタクトブロックやシールドケース１０５を樹脂カバー１０６により被覆することによって絶縁を保持するとともに機械的保護を図っている。プラグコネクタ１０３は、図７に示すように樹脂カバー１０６が、シールドケース１０５のレセプタクルコネクタ１０１との嵌合部位を露出させて形成されている。
【０００７】
コネクタ装置１００は、レセプタクルコネクタ１０１とプラグコネクタ１０３のそれぞれの相対するコンタクトが接触してレセプタクルコネクタ１０１との電気的接続が行われ
る。コネクタ装置１００は、これによりパーソナルコンピュータと周辺側機器とを接続して制御信号やデータの授受が行われるようにするとともに、パーソナルコンピュータ側から周辺装置側に電源の供給が行われるようにする。コネクタ装置１００においては、上述したようにレセプタクルコネクタ１０１とプラグコネクタ１０２とが、それぞれに設けられて嵌合部位における機械的保護や電磁的ノイズの混入防止を図るシールドケースを嵌合ガイド手段として嵌合が行われるように構成したことで、確実かつ簡易な嵌合操作が行われる。コネクタ装置１００においては、レセプタクルコネクタ１０１とプラグコネクタ１０３とが、それぞれのコンタクトブロックをシールドケースで覆うことから、外力による破損が防止されるとともに薄厚の金属材により形成することも可能となって全体の薄型化や小型化が図られるようになる。
【特許文献１】実開平５−３４６７９号公報
【特許文献２】特開２００４−３１２５９公報
【特許文献３】特開２００４−８７４１０公報
【特許文献４】特開２００５−７１８２４公報
【発明の開示】
【発明が解決しようとする課題】
【０００８】
ところで、コネクタ装置１００においては、プラグコネクタ１０３が、そのシールドケース１０５の露出された部位をレセプタクルコネクタ１０１側のシールドケース内に嵌合することによりレセプタクルコネクタ１０１に結合されるとともに、強く引き抜くことによって取り外しが行われる。コネクタ装置１００においては、レセプタクルコネクタ１０１に対するプラグコネクタ１０３の挿脱操作に際して、このプラグコネクタ１０３が大きな力で上下或いは左右にこじられる。
【０００９】
コネクタ装置１００においては、例えばプラグコネクタ１０３の無理な挿脱操作によりプラグコネクタ１０３側からレセプタクルコネクタ１０１に対して大きな負荷が作用され、レセプタクルコネクタ１０１と配線基板１０２との接続部位に応力集中が生じて半田付け部位の剥離或いは配線基板１０２の破損等が発生する虞があった。また、コネクタ装置１００においては、例えば接続状態においてもケーブル１０４に引っ掛かり等が生じてプラグコネクタ１０３とレセプタクルコネクタ１０１との結合部に大きな負荷が作用され、同様にして応力集中によるレセプタクルコネクタ１０１側において不都合が発生する虞があった。
【００１０】
従来のコネクタ装置１００においては、上述したようにプラグコネクタ１０３側から作用される過大な負荷によりレセプタクルコネクタ１０１を設けるパーソナルコンピュータ等の主装置側に不都合を発生させてしまう。従来のコネクタ装置１００においては、かかる不都合の発生によりシステム全体に影響を及ぼして大きな損害を生じさせてしまうことがあった。
【００１１】
したがって、本発明は、主装置に搭載されたレセプタクルコネクタと嵌合された状態で、何らかの理由により大きな負荷が作用された場合にもレセプタクルコネクタ側に破損等の発生を防止するシールド型プラグコネクタを提供することを目的に提案されたものである。
【課題を解決するための手段】
【００１２】
上述した目的を達成する本発明にかかるシールド型プラグコネクタは、シールドケース内にコンタクトブロックを収納するとともに、シールドケースをレセプタクルコネクタとの嵌合部位を露出させて樹脂カバーにより被覆する。シールド型プラグコネクタは、シールドケースの樹脂カバーの先端部位により被覆される部位に位置して、レセプタクルコネクタに嵌合された状態での過大負荷に対してシールドケースを変形させることで負荷を緩
衝する緩衝部を形成したことを特徴とする。
【００１３】
シールド型プラグコネクタは、緩衝部を、シールドケースに幅方向の両側部から互いに対向して切り込み形成された一対の緩衝スリットにより構成する。シールド型プラグコネクタにおいては、過大な負荷が作用された場合に、この緩衝スリットを介してシールドケースが変形することによりレセプタクルコネクタ側への影響を低減して破損等の発生を防止させる。
【００１４】
また、シールド型プラグコネクタは、緩衝部を、シールドケースの主面に、内方へと折曲されてシールドケースに対してコンタクトブロックを抜け止めする互いに向き合う幅方向の一対のかしめ舌片を構成する横向き略Ｈ字状のスリットによって構成する。シールド型プラグコネクタにおいては、過大な負荷が作用された場合に、このかしめ舌片を構成するスリットを介してシールドケースが変形することによりレセプタクルコネクタ側への影響を低減して破損等の発生を防止させる。
【００１５】
シールド型プラグコネクタは、緩衝部を、シールドケースに幅方向の両側部から互いに対向して切り込み形成された一対の緩衝スリットと、シールドケースの主面に緩衝スリットの延長線上に位置して形成され内方へと折曲されることによりシールドケースに対してコンタクトブロックを抜け止めする互いに向き合う幅方向の一対のかしめ舌片を構成する横向き略Ｈ字状のスリットとによって構成する。シールド型プラグコネクタにおいては、過大な負荷が作用された場合に、これらスリットを介してシールドケースが変形することによりレセプタクルコネクタ側への影響を低減して破損等の発生を防止させる。
【００１６】
シールド型プラグコネクタは、緩衝部を、シールドケースの主面に相対する両側部に回り込んで形成された幅方向の凹溝によって構成する。シールド型プラグコネクタにおいては、過大な負荷が作用された場合に、この凹溝を介してシールドケースが変形することによりレセプタクルコネクタ側への影響を低減して破損等の発生を防止させる。
【発明の効果】
【００１７】
以上のように構成された本発明にかかるシールド型プラグコネクタによれば、レセプタクルコネクタとの嵌合状態において過大な負荷が作用された場合に緩衝部を介してシールドケースが変形することにより、レセプタクルコネクタ側への負荷の影響を低減して破損等の発生を低減する。シールド型プラグコネクタによれば、万一の場合でもレセプタクルコネクタを設けた主装置側における不都合の発生を低減してシステム全体に影響を及ぼすような大きな損害の発生を防止することを可能とする。
【発明を実施するための最良の形態】
【００１８】
以下、本発明の実施の形態として示すシールド型プラグコネクタ１０を備えたコネクタ装置１について図面を参照して詳細に説明する。コネクタ装置１も、例えばパーソナルコンピュータと周辺装置間を接続することにより制御信号やデータ等の授受とともに電源の供給を行ってシステムを構成するコネクタ装置である。なお、コネクタ装置１は、周辺装置間においても用いられ、同様にして上位側装置と下位側装置間を接続して制御信号やデータ等の授受及び電源供給を行う。本発明は、かかるコネクタ装置ばかりでなく、各種電子装置間を接続する種々のコネクタ装置にも適用可能であることは勿論である。
【００１９】
コネクタ装置１は、基本的な構成を上述したコネクタ装置１００と同様とし、図１及び図２に示すように、パーソナルコンピュータ側の配線基板３に搭載されたレセプタクルコネクタ２と、パーソナルコンピュータと周辺装置側とを接続するケーブル４に設けたプラグコネクタ１０とから構成される。レセプタクルコネクタ２は、図１に示すように例えばパーソナルコンピュータ側に設けられ、その筐体に設けたスロットにプラグコネクタ嵌合
部を臨ませて配線基板３の端部に位置して搭載される。
【００２０】
レセプタクルコネクタ２は、詳細を省略するが、例えば絶縁合成樹脂材によって成形されたコンタクト保持体５と、このコンタクト保持体５に複数個のコンタクト６によりコンタクトブロックを構成し、このコンタクトブロックをコンタクト保持体５に組み付けたシールドケース７によって被覆する。レセプタクルコネクタ２は、シールドケース７が、金属薄板により矩形筒状に形成され、内部にプラグコネクタ１０の嵌合空間部を構成して嵌合されたプラグコネクタ１０とコンタクトブロックとが電気的に接続されるようにする。
【００２１】
レセプタクルコネクタ２は、シールドケース７に一体に形成した複数個の位置決め凸部８を配線基板３側に形成した位置決め孔に貫通させる。レセプタクルコネクタ２は、各コンタクト６が、コンタクト保持体５から突出された先端部をそれぞれ底面側に折曲して配線基板３に形成した図示しない端子パターンに半田付けされることにより、この配線基板３に実装される。
【００２２】
コネクタ装置１においては、プラグコネクタ１０がスロットに差し込まれて上述したレセプタクルコネクタ２に嵌合されることにより、パーソナルコンピュータと周辺装置とを電気的に接続する。プラグコネクタ１０も、後述するように基本的な構成を上述した従来のプラグコネクタ１０３と同等とされ、一端側を下位側となる周辺装置に接続されたケーブル４の他端側に接続部位を詳細を省略するシールドブッシュ９に封装されて設けられる。プラグコネクタ１０は、詳細を省略するが、レセプタクルコネクタ２側の各コンタクト６に対応する複数個のプラグコネクタコンタクトが絶縁合成樹脂材によって成形されるコンタクト保持体に一体化してコンタクトブロック１１（図４参照）を構成し、このコンタクトブロック１１が図２及び図３に示すように金属材によりチャンネル状に形成されたホルダ部材１２内に保持される。
【００２３】
プラグコネクタ１０は、図２乃至図４に示すように、ホルダ部材１２に対してシールドケース１３が組み合わされることによりコンタクトブロック１１を全体に亘って覆うように構成する。シールドケース１３は、金属薄板を素材として一体に形成され、ホルダ部材１２との組み合わせ部位となるチャンネル状の本体部１４と、この本体部１４の前方部位に形成された矩形筒状の嵌合筒部１５と、本体部１４の相対する後方部位に形成されたケーブル保持部１６とから構成される。シールドケース１３は、図３に示すように本体部１４の立ち上がり側面に形成した係合凸部１４Ａをホルダ部材１２の立ち上がり側面に形成した相対する係合孔１２Ａに係合することにより、ホルダ部材１２と一体化される。
【００２４】
シールドケース１３は、嵌合筒部１５が、レセプタクルコネクタ２側のシールドケース７の開口寸法よりもやや小口径とされるとともにこのシールドケース７よりもやや長軸に形成され、図４に示すようにコンタクトブロック１１を先端開口部に臨ませて内部に収納する。シールドケース１３には、図示を省略するバネ機構により先端部に側面からの突出習性を付与されたロック体１７が設けられている。ロック体１７は、詳細を後述するようにプラグコネクタ１０をレセプタクルコネクタ２に嵌合した状態で、図２に示すように先端部がレセプタクルコネクタ２側のシールドケース７に相対して形成したロック溝７Ａと相対係合することにより、プラグコネクタ１０とレセプタクルコネクタ２の嵌合状態を保持する。
【００２５】
シールドケース１３には、嵌合筒部１５の主面に、内部に収納したコンタクトブロック１１を固定する一対のかしめ舌片１８Ａ、１８Ｂ（以下、個別に説明する場合を除いてかしめ舌片１８と総称する。）が形成される。かしめ舌片１８は、図３に示すように本体部１４から突出される嵌合筒部１５の主面に、幅方向の略中央部に位置して横向き略Ｈ字状のスリット１９を形成し、このスリット１９によって切り残された互いに向き合う幅方向
の一対の舌片部により構成される。シールドケース１３は、図３及び図４に示すように、各かしめ舌片１８を内方へと折曲して収納されたコンタクトブロック１１に押し付けることにより、このコンタクトブロック１１をかしめ止めする。
【００２６】
シールドケース１３には、嵌合筒部１５に一対の緩衝スリット２０Ａ、２０Ｂ（以下、個別に説明する場合を除いて緩衝スリット２０と総称する。）が形成される。緩衝スリット２０は、プラグコネクタ１０をレセプタクルコネクタ２に嵌合した状態で、外部からプラグコネクタ１０に過大な負荷が作用された場合に、この負荷を緩衝してレセプタクルコネクタ２側への影響を低減する。緩衝スリット２０は、図３に示すようにシールドケースに１３に、嵌合筒部１５の本体部１４から突出される基端部の幅方向の両側部から互いに対向して切り込み形成される。
【００２７】
すなわち、シールドケース１３は、各緩衝スリット２０を、詳細を省略するが嵌合筒部１５の両側部に、同一軸線上に位置かつ相対する主面に跨るようにして形成する。シールドケース１３は、上述したかしめ舌片１８を構成するスリット１９も、各緩衝スリット２０を形成する軸線上に位置して形成する。したがって、シールドケース１３は、嵌合筒部１５の基端部において、同一軸線上に位置してこれらスリット１９と各緩衝スリット２０を形成することにより機械的強度が低下された構造に構成される。なお、シールドケース１３は、嵌合筒部１５が、通常の取り扱いではスリット１９と各緩衝スリット２０に沿って変形や破断等が生じない機械的強度を有することは勿論である。
【００２８】
シールドケース１３においては、プラグコネクタ１０に対して外部から過大な負荷が作用されると、上述したスリット１９と各緩衝スリット２０をガイドとして、図５に示すように嵌合筒部１５が容易に折曲する。したがって、シールドケース１３においては、この嵌合筒部１５の折曲動作によって過大な負荷を吸収してレセプタクルコネクタ２に過大な負荷による大きな力が作用されないようにする。なお、シールドケース１３においては、かしめ舌片１８を構成するスリット１９と一対の緩衝スリット２０とによって過大な負荷の緩衝構造を構成するようにしたが、素材となる金属薄板の厚み、配線基板３に対するレセプタクルコネクタ２の接合強度等によりいずれか一方のスリットが緩衝スリットを構成するようにしてもよい。
【００２９】
シールドケース１３は、ケーブル保持部１６が、本体部１４の相対する後方部位の略中央に逸して一体に突出される。ケーブル保持部１６は、図３に示すように先端部が筒状に湾曲されてケーブル４の外周部を貫通させるとともに、縮径されることによりケーブル４をかしめ止めする。
【００３０】
プラグコネクタ１０は、上述したシールドケース１３が、外周部に絶縁合成樹脂を素材とした樹脂カバー２１がアウトサート成形されることにより被覆される。樹脂カバー２１は、図２及び図４に示すようにシールドケース１３に対して、嵌合筒部１５を露出させて本体部１４とケーブル保持部１６とを被覆するようにして一体に形成される。樹脂カバー２１は、シールドケース１３の絶縁や防錆性を保持するとともに、プラグコネクタ１０の機械的強度が向上されるようにする。
【００３１】
樹脂カバー２１は、嵌合筒部１５の基端部位において、上述したかしめ舌片１８を構成するスリット１９と緩衝スリット２０を被覆して形成される。樹脂カバー２１は、上述したようにスリット１９や緩衝スリット２０を被覆して形成されることにより、嵌合筒部１５内への塵埃等の侵入を防止するとともにプラグコネクタ１０の外観が保持されるようにする。樹脂カバー２１は、スリット１９や緩衝スリット２０を形成することによって機械的強度が低下した嵌合筒部１５を補強する。樹脂カバー２１は、嵌合筒部１５をシールドケース７内に嵌合してプラグコネクタ１０がレセプタクルコネクタ２に嵌合された状態に
おいて、例えば筐体に設けたスロットの内周部を閉塞するようにする。
【００３２】
以上のように構成されたコネクタ装置１においては、周辺装置に接続されたケーブル４に設けられたプラグコネクタ１０が、樹脂カバー２１から露出された嵌合筒部１５を嵌合側としてパーソナルコンピュータに設けたスロット内に差し込まれることにより、スロットに臨んで配線基板３に搭載されたレセプタクルコネクタ２と嵌合される。コネクタ装置１においては、プラグコネクタ１０の嵌合筒部１５が、レセプタクルコネクタ２側のシールドケース７の嵌合空間部内に押し込まれることにより、この嵌合筒部１５内に設けられたプラグコンタクトが相対するレセプタクルコンタクト６とそれぞれ接続される。
【００３３】
コネクタ装置１においても、上述したようにレセプタクルコネクタ２とプラグコネクタ１０とが、それぞれに設けられて嵌合部位における機械的保護や電磁的ノイズの混入防止を図るシールドケース７、１３を嵌合ガイド手段として嵌合が行われるように構成したことで、確実かつ簡易な嵌合操作が行われるようになる。コネクタ装置１においても、レセプタクルコネクタ２とプラグコネクタ１０とが、それぞれのコンタクトブロックをシールドケース７、１３で覆うことから、外力による破損が防止されるとともに薄厚の金属材により形成することも可能となって全体の薄型化や小型化が図られるようになる。コネクタ装置１においては、上述したようにロック溝７Ａにロック体１７が係合するロック機構により、レセプタクルコネクタ２とプラグコネクタ１０との嵌合状態が保持される。
【００３４】
コネクタ装置１においては、ケーブル４を介してパーソナルコンピュータと周辺装置とを接続することにより制御信号やデータの授受或いは電源供給を行う。ところで、コネクタ装置１においては、レセプタクルコネクタ２とプラグコネクタ１０とが、例えばシールドケース７と嵌合筒部１５とをきつい嵌め合い条件とした場合に、挿脱操作に際してプラグコネクタ１０に上下或いは左右方向に大きな操作力が作用される。また、コネクタ装置１においては、例えばケーブル４を引っ掛ける等することにより、プラグコネクタ１０に大きな引っ張り力が作用されるといった事態が生じることがある。
【００３５】
コネクタ装置１においては、プラグコネクタ１０をレセプタクルコネクタ２に嵌合した状態において外部から極めて大きな負荷がプラグコネクタ１０に作用された場合でも、上述したようにかしめ舌片１８を構成するスリット１９と一対の緩衝スリット２０とにより構成した緩衝構造により緩衝してレセプタクルコネクタ２によって側への影響を低減する。コネクタ装置１においては、プラグコネクタ１０が過大な負荷を作用されると、図５に示すようにスリット１９と一対の緩衝スリット２０との形成部位において嵌合筒部１５が変形する。コネクタ装置１においては、この嵌合筒部１５の変形動作により過大な負荷が緩衝されてレセプタクルコネクタ２への直接的な影響が低減されるようにする。
【００３６】
したがって、コネクタ装置１においては、レセプタクルコネクタ２自体或いはコンタクト６を配線基板３に固定する半田付け部の剥離等の発生が抑制されるようになる。コネクタ装置１においては、過大な負荷に対して高価で複雑な制御を行うパーソナルコンピュータ側において損害の発生を低減することで、システム全体に影響を及ぼすような大きな損害の発生を防止することを可能とする。
【００３７】
上述した実施の形態においては、プラグコネクタ１０のレセプタクルコネクタ２との嵌合部を構成する嵌合筒部１５に同一軸線上に位置してスリット１９と緩衝スリット２０とからなる緩衝構造を形成したが、本発明はかかる構成に限定されるものでは無い。第２の実施の形態として図６に示したプラグコネクタ３０も、シールドケース３１が、本体部３２と、その前方部位に一体に形成された嵌合筒部３３と、後方部位に一体に形成されたケーブル保持部３４とから構成される。なお、プラグコネクタ３０は、シールドケース３１を除くその他の基本的な構成を上述したプラグコネクタ１０と同等とすることから、対応
する部位に同一符号を付すことにより説明を省略する。
【００３８】
シールドケース３１には、図６に示すように本体部３２から突出される嵌合筒部３３の主面３３Ａ、３３Ｂに、相対する両側部３３Ｃ、３３Ｄに回り込むようにして断面がＶ字状の緩衝凹溝３５が形成される。シールドケース３１は、この緩衝凹溝３５によって当該部位における厚みが小さくなって機械的強度が低下された構造に構成される。なお、緩衝凹溝３５は、通常の取り扱いでは嵌合筒部３３が変形や破断等を生じることが無い機械的強度に保持される深さを以って主面３３Ａ、３３Ｂに形成される。
【００３９】
プラグコネクタ３０においても、シールドケース３１が、嵌合筒部３３を除いてアウトサート成型される樹脂カバー２１により本体部３２とケーブル保持部３４を被覆される。プラグコネクタ３０においても、樹脂カバー２１が嵌合筒部３３の基端部位において、上述した緩衝凹溝３５を被覆して形成される。
【００４０】
以上のように構成されたプラグコネクタ３０においては、上述したように嵌合筒部３３に緩衝凹溝３５を形成したことにより、レセプタクルコネクタ２に嵌合した状態において外部から極めて大きな負荷が作用された場合に嵌合筒部３３が緩衝凹溝３５に沿って変形或いは破断する。したがって、プラグコネクタ３０においては、この嵌合筒部３３の変形動作により過大な負荷を緩衝してレセプタクルコネクタ２への直接的な影響が低減されるようにする。
【００４１】
なお、本発明は、上述した緩衝構造に限定されず、シールドケースの嵌合筒部の基端部に例えばミシン目等を形成した構造であってもよいことは勿論である。また、本発明の本質を逸脱しない限り、種々の改変の本発明にかかるシールド型プラグコネクタに及ぶことは当然である。
【図面の簡単な説明】
【００４２】
【図１】本発明にかかるプラグコネクタを用いるコネクタ装置の要部分解斜視図である。
【図２】レセプタクルコネクタにプラグコネクタを嵌合した状態のコネクタ装置の要部分解斜視図である。
【図３】樹脂カバーを取り除いて示すプラグコネクタの要部斜視図である。
【図４】プラグコネクタの要部断面図である。
【図５】過大な負荷が作用されて嵌合筒部が変形したプラグコネクタの要部断面図である。
【図６】第２の実施の形態として示す樹脂カバーを取り除いて示すプラグコネクタの要部斜視図である。
【図７】従来のコネクタ装置の要部分解斜視図である。
【符号の説明】
【００４３】
１        コネクタ装置
２        レセプタクルコネクタ
３        配線基板
４        ケーブル
５        コンタクト保持体
６        レセプタクルコンタクト
７        シールドケース
１０      プラグコネクタ
１１      コンタクトブロック
１２      ホルダ部材部材
１３      シールドケース
１４      本体部
１５      嵌合筒部
１６      ケーブル保持部
１８      かしめ舌片
１９      スリット
２０      緩衝スリット
２１      樹脂カバー
３０      プラグコネクタ
３１      シールドケース
３２      本体部
３３      嵌合筒部
３４      ケーブル保持部
３５      緩衝凹溝
【図１】
2007227272.tif 000003
【図２】
2007227272.tif 000004
【図３】
2007227272.tif 000005
【図４】
2007227272.tif 000006
【図５】
2007227272.tif 000007
【図６】
2007227272.tif 000008
【図７】
2007227272.tif 000009